(57)【要約】【課題】複数の施設で撮影された画像の管理に要する労力を軽減すること。【解決手段】サブＩＤを取得するサブＩＤ取得部と、所定の施設に設置された撮影装置によって撮影された画像を取得する画像取得部と、サブＩＤと画像とを対応付けてコンテンツ管理装置に送信する通信部と、を備える施設システムと、ユーザに対して割り当てられる識別情報であるメインＩＤと、サブＩＤと、を対応付けて記憶するユーザ情報記憶部と、施設システムから受信されるサブＩＤと画像とを対応付けて記憶する画像情報記憶部と、ユーザが使用するユーザ端末からメインＩＤを含む操作要求が受信されると、メインＩＤに対応付けられたサブＩＤと対応付けられている画像に対し、操作要求が示す操作を実行する操作制御部と、を備えるコンテンツ管理装置と、を備えるオンラインサービスシステムである。【選択図】図１
2019023827.tif 000002
【特許請求の範囲】
【請求項１】
識別情報であるサブＩＤを取得するサブＩＤ取得部と、
所定の施設に設置された撮影装置によって撮影された画像を取得する画像取得部と、
前記サブＩＤと前記画像とを対応付けてコンテンツ管理装置に送信する通信部と、
を備える施設システムと、
ユーザに対して割り当てられる識別情報であるメインＩＤと、前記サブＩＤと、を対応付けて記憶するユーザ情報記憶部と、
前記施設システムから受信される前記サブＩＤと前記画像とを対応付けて記憶する画像情報記憶部と、
ユーザが使用するユーザ端末から前記メインＩＤを含む操作要求が受信されると、前記メインＩＤに対応付けられたサブＩＤと対応付けられている画像に対し、前記操作要求が示す操作を実行する操作制御部と、
を備えるコンテンツ管理装置と、
を備えるオンラインサービスシステム。
【請求項２】
前記コンテンツ管理装置は、
前記サブＩＤと、前記サブＩＤに関連する施設の識別情報である施設ＩＤと、を対応付けて記憶する施設ＩＤ情報記憶部
をさらに備える、請求項１に記載のオンラインサービスシステム。
【請求項３】
ソーシャルネットワーキングサービス（ＳＮＳ）において共有された画像に関する情報を記憶する共有ログ情報記憶部をさらに備え、
前記操作制御部は、前記操作要求として、ソーシャルネットワーキングサービス（ＳＮＳ）において前記画像情報記憶部に記憶されている画像を共有する操作が受信された場合、共有に関する処理を行い、前記画像が共有されたことを示すログ情報を前記画像と対応付けて共有ログ情報記憶部に登録する、請求項１又は２に記載のオンラインサービスシステム。
【請求項４】
前記共有ログ情報記憶部は、前記画像と、前記画像が共有された前記ＳＮＳを示す識別情報とを対応付けて記憶する、請求項３に記載のオンラインサービスシステム。
【請求項５】
識別情報であるサブＩＤを取得するサブＩＤ取得ステップと、
所定の施設に設置された撮影装置によって撮影された画像を取得する画像取得ステップと、
前記サブＩＤと前記画像とを対応付けてコンテンツ管理装置に送信する通信ステップと、
ユーザに対して割り当てられる識別情報であるメインＩＤと、前記サブＩＤと、を対応付けて記憶するユーザ情報記憶部と、受信される前記サブＩＤと前記画像とを対応付けて記憶する画像情報記憶部と、を備えた前記コンテンツ管理装置が、ユーザが使用するユーザ端末から前記メインＩＤを含む操作要求を受信するステップと、
前記コンテンツ管理装置が、前記メインＩＤに対応付けられたサブＩＤと対応付けられている画像に対し、前記操作要求が示す操作を実行する操作制御ステップと、
を有するオンラインサービス提供方法。
【請求項６】
識別情報であるサブＩＤを取得するサブＩＤ取得部と、所定の施設に設置された撮影装置によって撮影された画像を取得する画像取得部と、前記サブＩＤと前記画像とを対応付けてコンテンツ管理装置に送信する通信部と、を備える施設システムと通信可能なコンテンツ管理装置であって、
ユーザに対して割り当てられる識別情報であるメインＩＤと、前記サブＩＤと、を対応付けて記憶するユーザ情報記憶部と、
前記施設システムから受信される前記サブＩＤと前記画像とを対応付けて記憶する画像情報記憶部と、
ユーザが使用するユーザ端末から前記メインＩＤを含む操作要求が受信されると、前記メインＩＤに対応付けられたサブＩＤと対応付けられている画像に対し、前記操作要求が示す操作を実行する操作制御部と、
を備えるコンテンツ管理装置。
【発明の詳細な説明】
【技術分野】
【０００１】
本発明は、撮影された画像をユーザに提供するための技術に関する。
【背景技術】
【０００２】
従来、アプリケーションやＷｅｂサービスにおいて、写真や動画のコンテンツを保管するオンラインサービスが提供されている（例えば特許文献１参照。）。これらのサービスでは、オンラインサービスの提供元である事業者から、ユーザに対して識別情報が割り当てられる。例えば、遊園地等の施設では、その施設がオンラインサービスの提供元となり、識別情報を発行している。そして、ユーザは識別情報を用いて認証を受けることによって、自身が外出先で撮影した画像をどこでもオンラインで取得することができる。
【先行技術文献】
【特許文献】
【０００３】
【特許文献１】特開２０００−３１１２４２号公報
【発明の概要】
【発明が解決しようとする課題】
【０００４】
しかしながら、ユーザが撮影を行う施設は多岐にわたる。そのような施設毎に識別情報が発行されるため、ユーザは自身が撮影した画像を管理することに労力を要していた。
上記事情に鑑み、本発明は、複数の施設で撮影された画像の管理に要する労力を軽減できる技術の提供を目的としている。
【課題を解決するための手段】
【０００５】
本発明の一態様は、識別情報であるサブＩＤを取得するサブＩＤ取得部と、所定の施設に設置された撮影装置によって撮影された画像を取得する画像取得部と、前記サブＩＤと前記画像とを対応付けてコンテンツ管理装置に送信する通信部と、を備える施設システムと、ユーザに対して割り当てられる識別情報であるメインＩＤと、前記サブＩＤと、を対応付けて記憶するユーザ情報記憶部と、前記施設システムから受信される前記サブＩＤと前記画像とを対応付けて記憶する画像情報記憶部と、ユーザが使用するユーザ端末から前記メインＩＤを含む操作要求が受信されると、前記メインＩＤに対応付けられたサブＩＤと対応付けられている画像に対し、前記操作要求が示す操作を実行する操作制御部と、を備えるコンテンツ管理装置と、を備えるオンラインサービスシステムである。
【０００６】
本発明の一態様は、上記のオンラインサービスシステムであって、前記コンテンツ管理装置は、前記サブＩＤと、前記サブＩＤに関連する施設の識別情報である施設ＩＤと、を対応付けて記憶する施設ＩＤ情報記憶部をさらに備える。
【０００７】
本発明の一態様は、上記のオンラインサービスシステムであって、ソーシャルネットワーキングサービス（ＳＮＳ）において共有された画像に関する情報を記憶する共有ログ情報記憶部をさらに備え、前記操作制御部は、前記操作要求として、ソーシャルネットワーキングサービス（ＳＮＳ）において前記画像情報記憶部に記憶されている画像を共有する操作が受信された場合、共有に関する処理を行い、前記画像が共有されたことを示すログ情報を前記画像と対応付けて共有ログ情報記憶部に登録する。
【０００８】
本発明の一態様は、上記のオンラインサービスシステムであって、前記共有ログ情報記憶部は、前記画像と、前記画像が共有された前記ＳＮＳを示す識別情報とを対応付けて記憶する。
【０００９】
本発明の一態様は、識別情報であるサブＩＤを取得するサブＩＤ取得ステップと、所定の施設に設置された撮影装置によって撮影された画像を取得する画像取得ステップと、前記サブＩＤと前記画像とを対応付けてコンテンツ管理装置に送信する通信ステップと、ユーザに対して割り当てられる識別情報であるメインＩＤと、前記サブＩＤと、を対応付けて記憶するユーザ情報記憶部と、前記施設システムから受信される前記サブＩＤと前記画像とを対応付けて記憶する画像情報記憶部と、を備えた前記コンテンツ管理装置が、ユーザが使用するユーザ端末から前記メインＩＤを含む操作要求を受信するステップと、前記コンテンツ管理装置が、前記メインＩＤに対応付けられたサブＩＤと対応付けられている画像に対し、前記操作要求が示す操作を実行する操作制御ステップと、を有するオンラインサービス提供方法である。
【００１０】
本発明の一態様は、識別情報であるサブＩＤを取得するサブＩＤ取得部と、所定の施設に設置された撮影装置によって撮影された画像を取得する画像取得部と、前記サブＩＤと前記画像とを対応付けてコンテンツ管理装置に送信する通信部と、を備える施設システムと通信可能なコンテンツ管理装置であって、ユーザに対して割り当てられる識別情報であるメインＩＤと、前記サブＩＤと、を対応付けて記憶するユーザ情報記憶部と、前記施設システムから受信される前記サブＩＤと前記画像とを対応付けて記憶する画像情報記憶部と、ユーザが使用するユーザ端末から前記メインＩＤを含む操作要求が受信されると、前記メインＩＤに対応付けられたサブＩＤと対応付けられている画像に対し、前記操作要求が示す操作を実行する操作制御部と、を備えるコンテンツ管理装置である。
【発明の効果】
【００１１】
本発明により、複数の施設で撮影された画像の管理に要する労力を軽減することが可能となる。
【図面の簡単な説明】
【００１２】
【図１】オンラインサービスシステムのシステム構成の概略を示す図である。
【図２】施設システムの外観の例を示す図である。
【図３】コンテンツ管理装置の機能の具体例を示す概略ブロック図である。
【図４】施設ＩＤ情報テーブルの具体例を示す図である。
【図５】ユーザ情報テーブルの具体例を示す図である。
【図６】画像情報テーブルの具体例を示す図である。
【図７】共有ログ情報テーブルの具体例を示す図である。
【図８】ＤＬログ情報テーブルの具体例を示す図である。
【図９】撮影された画像がコンテンツ管理装置に登録される処理の流れの具体例を示すシーケンスチャートである。
【図１０】ユーザが撮影画像の画像データをユーザ端末にダウンロードする際の処理の流れの具体例を示すシーケンスチャートである。
【図１１】ユーザが撮影画像の画像データをＳＮＳで他者と共有する際の処理の流れの具体例を示すシーケンスチャートである。
【発明を実施するための形態】
【００１３】
以下、本発明の具体的な構成例について、図面を参照しながら説明する。
図１は、オンラインサービスシステム１００のシステム構成の概略を示す図である。オンラインサービスシステム１００は、施設システム２００及びコンテンツ管理装置６０を備える。オンラインサービスシステム１００は、さらに１台以上の販売端末７０を備えてもよい。施設システム２００とコンテンツ管理装置６０と販売端末７０とは、ネットワーク９０を介して通信可能に接続されている。ユーザ端末５０は、オンラインサービスシステム１００にネットワーク９０を介して接続する。ユーザ端末５０のユーザは、ユーザ端末５０を使用して、所望の操作を示す操作要求をオンラインサービスシステム１００に送信することによって、オンラインサービスシステム１００から上記操作に応じたサービスを受けることができる。オンラインサービスシステム１００がユーザに対して提供するサービスは、例えばユーザが施設システム２００を使用して撮影した画像（以下「撮影画像」という。）をユーザ端末５０にダウンロードするという操作であったり、撮影画像をソーシャルネットワーキングサービス（Social Networking Service：ＳＮＳ）で他者と共有することを実現する操作である。販売端末７０は、不特定多数のユーザによって使用される。販売端末７０は、例えば撮影画像をユーザ端末５０に送信するための通信機能や、撮影画像をプリントアウトするための印刷機能を備える。ユーザは、販売端末７０を使用して、所望の操作を示す操作要求をオンラインサービスシステム１００に送信することによって、オンラインサービスシステム１００から上記操作に応じたサービスを受けることができる。ユーザは、例えば撮影画像を販売端末７０を介してユーザ端末５０にダウンロードしたり、撮影画像を販売端末７０にダウンロードした上でプリントアウトしたりすることができる。なお、販売端末７０がユーザに提供するサービスは、有償であってもよいし無償であってもよい。
【００１４】
オンラインサービスシステム１００では、ユーザを示す識別情報としてメインＩＤとサブＩＤという２種類の識別情報が用いられる。メインＩＤは、オンラインサービスシステム１００において一人のユーザに対して原則として一つ割り当てられる識別情報である。サブＩＤは、オンラインサービスシステム１００において、一人のユーザが複数有することの可能な識別情報である。サブＩＤは、施設システム２００を利用するために発行される識別情報である。一つの施設システム２００から発行された複数のサブＩＤが一人のユーザによって使用されてもよい。サブＩＤは、ユーザに対して割り振る形で発行されてもよいし、予め割り当て先のユーザを特定せずに発行されてもよい。後者の場合には、予め発行されたサブＩＤを取得したユーザが、自身が有するサブＩＤとしてオンラインサービスシステム１００において登録処理をすることで使用可能になってもよい。
【００１５】
施設システム２００は、例えば通信装置１０、撮影装置２０、操作装置３０及び撮影管理装置４０を備える。施設システム２００は、所定の施設に対して設けられる。所定の施設とは、例えば遊園地や水族館などのレジャー施設であってもよいし、観光地に設置された施設であってもよい。各施設は、他の施設と異なる事業者によって運営される。ただし、一部の施設は、他の施設と同一の事業者によって運営されてもよい。以下に示す施設ＩＤは、施設毎に設けられるＩＤであってもよいし、事業者毎に設けられるＩＤであってもよい。施設システム２００が含む装置は、同一の施設に対して複数設けられてもよい。以下、施設システム２００が備える各装置について説明する。
【００１６】
通信装置１０は、ルータ等の通信機器である。通信装置１０は、ネットワーク９０と、施設システム２００との間の通信を中継する。例えば、通信装置１０は、撮影管理装置４０がネットワーク９０を介してコンテンツ管理装置６０と通信する際に、その通信を中継する。
【００１７】
撮影装置２０は、静止画像又は動画像を撮影する撮影機器である。撮影装置２０は、施設システム２００が設置された所定の施設内で、ユーザの操作に応じて画像を撮影する。撮影装置２０は、撮影された画像のデータ（画像データ）を撮影管理装置４０に出力する。撮影装置２０は、所定の施設に設置されている。撮影装置２０は、位置が固定されて設置されてもよいし、施設内を移動可能な移動体に設置されてもよい。例えば、ドローン等の無人航空機（Unmanned Aerial Vehicle：ＡＵＶ）や車両に設置されてもよい。
【００１８】
操作装置３０は、ユーザから、撮影装置２０による撮影に関する操作を受け付ける。操作装置３０は、例えばタッチパネルを用いて構成されてもよいし、タッチパネルを有する情報処理装置を用いて構成されてもよいし、人体の動きを検出するモーションセンサを用いて構成されてもよい。操作装置３０には、ユーザが撮影装置２０に対して撮影を指示する操作を取得できる構成であれば、どのような構成が採用されてもよい。操作装置３０は、撮影に関する操作を受け付けると、操作内容を示す情報を撮影管理装置４０に通知する。
【００１９】
撮影管理装置４０は、情報処理装置を用いて構成される。撮影管理装置４０は、撮影装置２０による撮影処理を制御する。撮影管理装置４０は、例えば操作装置３０から通知された操作内容に応じて、撮影装置２０を制御する。例えば、撮影管理装置４０は、撮影装置２０が撮影する視野を変更する旨の操作を受け付けた場合、操作内容に応じて視野を変更する。具体的には以下の通りである。撮影装置２０の画角や絞りを変更する操作内容が通知された場合、撮影管理装置４０は、撮影装置２０の画角や絞りを変更する。撮影装置２０が回転可能な雲台などの支持部に支持されている場合、撮影管理装置４０は、支持部を動作させる駆動部を制御することによって、撮影装置２０を回転させる。
【００２０】
撮影管理装置４０は、ユーザのサブＩＤを取得する。ユーザのサブＩＤの取得はどのような態様によって実現されてもよい。例えば、撮影管理装置４０は、施設システム２００に接続されている通信装置（有線通信装置、無線通信装置のどちらでもよい）を介して、ユーザ端末５０からサブＩＤを示すデータを受信してもよい。撮影管理装置４０は、サブＩＤを示す画像（例えばバーコード）を撮影することによってサブＩＤを取得してもよい。撮影管理装置４０は、サブＩＤを示す文字列の入力を操作装置３０等の入力装置を介して受けることによってサブＩＤを取得してもよい。撮影管理装置４０は、取得されたサブＩＤと、撮影装置２０によって撮影された撮影画像と、を対応付けてコンテンツ管理装置６０に送信する。
【００２１】
図２は、施設システム２００の外観の例を示す図である。図２に示される施設システム２００では、撮影装置２０が支持台に支持されてユーザの身長よりも高い位置に予め設置されている。図２に示される施設システム２００では、操作装置３０と撮影管理装置４０とが同一の装置を用いて構成されている。ただし、操作装置３０と撮影管理装置４０とが異なる装置を用いて構成されてもよい。ユーザは、所持しているユーザ端末５０において所定のアプリケーションを起動することによって、撮影管理装置４０に対して自身のサブＩＤを示す情報を無線通信で送信する。撮影管理装置４０は、サブＩＤを受信すると、撮影装置２０に対する操作内容の候補を示す画面を表示する。撮影管理装置４０は、操作装置３０として構成されたタッチパネルに対するユーザの操作に応じて、撮影装置２０を制御する。そして、撮影指示が操作内容として取得されると、撮影管理装置４０は撮影装置２０による撮影を実行する。撮影装置２０は、撮影された画像を撮影管理装置４０に出力する。撮影管理装置４０は、ユーザのサブＩＤと、撮影された画像の画像データと、を不図示の通信装置１０を介してコンテンツ管理装置６０に送信する。以上の動作が、施設システム２００における撮影処理の一具体例である。
【００２２】
図３は、コンテンツ管理装置６０の機能の具体例を示す概略ブロック図である。コンテンツ管理装置６０は、通信部６１、制御部６２、施設ＩＤ情報記憶部６３、ユーザ情報記憶部６４、画像情報記憶部６５、共有ログ情報記憶部６６及びＤＬログ情報記憶部６７を備える。制御部６２は、バスで接続されたプロセッサやメモリや補助記憶装置を用いて構成される。制御部６２は、プロセッサがコンテンツ管理プログラムを実行することによって、ＡＰＩ提供部６２０、ユーザ情報管理部６２１、画像管理部６２２及び操作制御部６２３として機能する。なお、制御部６２の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。コンテンツ管理プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。コンテンツ管理プログラムは、電気通信回線を介して送信されても良い。
【００２３】
通信部６１は、ネットワークインタフェースを用いて構成される。通信部６１は、ネットワーク９０を介して他の装置と通信する。通信部６１は、例えばネットワーク９０を介してユーザ端末５０や施設システム２００の装置等と通信する。
【００２４】
ＡＰＩ提供部６２０は、他の情報処理装置に対してＡＰＩ（Application Programming Interface）を提供する。ＡＰＩ提供部６２０は、他の装置からＡＰＩを用いたアクセスを受けると、アクセスに含まれる要求に応じた処理の実行を他の機能（例えばユーザ情報管理部６２１、画像管理部６２２、操作制御部６２３）に指示する。
【００２５】
ユーザ情報管理部６２１は、ユーザ情報記憶部６４に記憶されているユーザ情報に関する処理を行う。例えば、ユーザ情報管理部６２１は、新たにサブＩＤを発行することについて施設システム２００から要求を受けた場合、要求に応じてサブＩＤを発行する。ユーザ情報管理部６２１は、新たに発行されたサブＩＤをユーザ情報記憶部６４に登録する。このようなサブＩＤの発行に関する機能は、ＡＰＩ提供部６２０を介して施設システム２００等の他の装置やシステムに対して提供されてもよい。施設システム２００に係る事業者は、施設システム２００とは異なるシステムによって上記ＡＰＩを経由してユーザに対し予めサブＩＤを発行してもよい。施設システム２００に係る事業者は、施設システム２００とは異なるシステムによって上記ＡＰＩを経由して、施設におけるユーザの要求に応じてその場でサブＩＤを発行してもよい。
【００２６】
画像管理部６２２は、画像情報記憶部６５に記憶されている画像情報に関する処理を行う。例えば、画像管理部６２２は、新たに画像を登録することについて施設システム２００から要求を受けた場合、要求に応じて画像を新たに画像情報記憶部６５に登録する。
【００２７】
操作制御部６２３は、ユーザ端末５０から受ける指示に応じた操作を画像に対して行う。操作制御部６２３は、例えば画像のダウンロードの指示を受信すると、指定された画像データを画像情報記憶部６５から取得し、要求元のユーザ端末５０に対して画像データを送信する。操作制御部６２３は、例えば画像をＳＮＳで他者と共有する指示を受信すると、指定された画像データを、指定されたＳＮＳにおいて他者と共有する処理を実行する。
【００２８】
施設ＩＤ情報記憶部６３は、磁気ハードディスク装置や半導体記憶装置等の記憶装置を用いて構成される。施設ＩＤ情報記憶部６３は、施設ＩＤ情報テーブルを記憶する。図４は、施設ＩＤ情報テーブルの具体例を示す図である。施設ＩＤ情報テーブルは、施設ＩＤ、ユーザ管理情報、撮影装置管理情報及び付加情報の各値を有するレコードを複数有する。
【００２９】
施設ＩＤは、施設システム２００が設けられる対象となる施設を示す識別情報である。施設ＩＤは、定常的に設けられる施設であってもよいし、一時的に設けられる施設であってもよい。定常的に設けられる施設の具体例として、ビル等の建物に設けられる店舗、遊園地や水族館などのレジャー施設、工場、水処理等のプラントがある。一時的に設けられる施設の具体例として、所定の期間開催されるイベントの会場の施設がある。上述したように、施設ＩＤは、施設毎に設けられるＩＤであってもよいし、施設を運営する事業者毎に設けられるＩＤであってもよい。
【００３０】
ユーザ管理情報は、その施設ＩＤが示す施設において発行されるサブＩＤの候補を示す。ユーザ管理情報は、例えばサブＩＤの値の範囲を示す情報であってもよい。図４の例では、施設ＩＤ“ＦＡ１００１”に対応付けられたユーザ管理情報は、“ＵＳ１００００１”〜“ＵＳ１１００００”である。この場合、ユーザ管理情報は、この値の範囲（１万通りのＩＤ）の中からサブＩＤが発行されることを示す。このように、サブＩＤの値の候補が施設ＩＤ毎に体系的に定められている。したがって、ユーザは、同一のサブＩＤを用いて同一施設内の複数の撮影装置２０を同時に用いた撮影や順次撮影などを実現することが可能である。
【００３１】
撮影装置管理情報は、その施設ＩＤが示す施設において使用可能な撮影装置ＩＤの候補を示す。撮影装置ＩＤは、撮影装置２０に対して一意に与えられた識別情報である。撮影装置管理情報は、例えば撮影装置ＩＤの値の範囲を示す情報であってもよい。図４の例では、施設ＩＤ“ＦＡ１００１”に対応付けられた撮影装置管理情報は、“Ｃ１００１”〜“Ｃ１０２１”である。この場合、撮影装置管理情報は、この値の範囲（２１通りのＩＤ）の中から撮影装置ＩＤが割り当てられることを示す。このように、撮影装置ＩＤの値の候補が施設ＩＤ毎に体系的に定められている。
【００３２】
付加情報は、施設ＩＤが示す施設に関する情報を示す。例えば、付加情報は施設の名前、施設が有効である期間（特に一時的に設けられる施設の場合）、施設の場所などを示してもよい。
【００３３】
ユーザ情報記憶部６４は、磁気ハードディスク装置や半導体記憶装置等の記憶装置を用いて構成される。ユーザ情報記憶部６４は、複数のユーザ情報テーブルを記憶する。図５は、ユーザ情報テーブルの具体例を示す図である。ユーザ情報テーブルは、一つのメインＩＤ毎に一つ生成される。ユーザ情報テーブルは、サブＩＤ、施設ＩＤ、撮影ログ情報、共有ログＩＤ及びＤＬログＩＤの各値を有するレコードを複数有する。ユーザ情報テーブルでは、このような複数のレコードが一つのメインＩＤに対応付けられている。また、ユーザ情報テーブルでは、メインＩＤに対して認証情報が対応付けられている。また、ユーザ情報テーブルにおいて、サブＩＤに対応付けて、そのサブＩＤを用いて受けることができるサービスの内容を示すサービス情報が登録されてもよい。例えば、施設システム２００において撮影を無償で受けることができるか否かを示す情報や、施設システム２００において撮影を有償で受ける場合にはどのような費用体系で受けることができるかを示す情報などがサービス情報として登録されてもよい。
【００３４】
サブＩＤは、メインＩＤが示すユーザに対して発行されたサブＩＤを示す。施設ＩＤは、サブＩＤの発行元となった施設の識別情報である。撮影ログ情報は、サブＩＤを用いて撮影された画像を示す識別情報である。共有ログＩＤは、サブＩＤを用いて行われたＳＮＳにおける共有処理のログ情報を示す識別情報である。ＤＬログＩＤは、サブＩＤを用いて行われたダウンロード処理のログ情報を示す識別情報である。認証情報は、メインＩＤ又はサブＩＤを用いた認証処理において用いられる情報である。認証情報は、例えばパスワードである。
【００３５】
画像情報記憶部６５は、磁気ハードディスク装置や半導体記憶装置等の記憶装置を用いて構成される。画像情報記憶部６５は、画像情報テーブルを記憶する。図６は、画像情報テーブルの具体例を示す図である。画像情報テーブルは、画像ＩＤ、サブＩＤ、施設ＩＤ、日時情報、共有ログＩＤ、ＤＬログＩＤ及び画像データの各値を有するレコードを複数有する。
【００３６】
画像ＩＤは、撮影画像を示す識別情報である。サブＩＤは、撮影画像の撮影主体となったユーザのサブＩＤである。施設ＩＤは、撮影画像が撮影された施設システム２００が設置されていた施設の施設ＩＤである。日時情報は、撮影画像が撮影された日時を示す情報である。共有ログＩＤは、撮影画像についてサブＩＤを用いて行われたＳＮＳにおける共有処理のログ情報を示す識別情報である。ＤＬログＩＤは、撮影画像についてサブＩＤを用いて行われたダウンロード処理のログ情報を示す識別情報である。画像データは、画像ＩＤが示す撮影画像のデータを示す。同一の画像ＩＤが複数のサブＩＤに対応付けられてもよい。
【００３７】
共有ログ情報記憶部６６は、磁気ハードディスク装置や半導体記憶装置等の記憶装置を用いて構成される。共有ログ情報記憶部６６は、共有ログ情報テーブルを記憶する。図７は、共有ログ情報テーブルの具体例を示す図である。共有ログ情報テーブルは、共有ログＩＤ、共有先コンテンツ、日時情報、サブＩＤ、施設ＩＤ及び画像ＩＤの各値を有するレコードを複数有する。
【００３８】
共有ログＩＤは、共有処理のログ情報を一意に示す識別情報である。共有先コンテンツは、画像が共有されたＳＮＳコンテンツを示す識別情報である。日時情報は、画像が共有された日時を示す情報である。サブＩＤは、共有処理の指示を行ったユーザのサブＩＤである。施設ＩＤは、共有された画像が撮影された施設の施設ＩＤである。画像ＩＤは、共有された画像を示す画像ＩＤである。共有ログ情報テーブルを参照することによって、各ユーザが共有処理を行ったか否かや、共有処理が行われた共有先のコンテンツの情報や、共有処理が行われた画像が撮影された施設の施設ＩＤなどの情報を取得できる。
【００３９】
ＤＬログ情報記憶部６７は、磁気ハードディスク装置や半導体記憶装置等の記憶装置を用いて構成される。ＤＬログ情報記憶部６７は、ＤＬログ情報テーブルを記憶する。図８は、ＤＬログ情報テーブルの具体例を示す図である。ＤＬログ情報テーブルは、ＤＬログＩＤ、販売端末ＩＤ、日時情報、サブＩＤ及び画像ＩＤの各値を有するレコードを複数有する。
【００４０】
ＤＬログＩＤは、ダウンロード処理のログ情報を一意に示す識別情報である。販売端末ＩＤは、ダウンロード処理が行われた販売端末の識別情報である。日時情報は、画像がダウンロードされた日時を示す情報である。サブＩＤは、ダウンロード処理の指示を行ったユーザのサブＩＤである。画像ＩＤは、共有された画像を示す画像ＩＤである。ＤＬログ情報テーブルを参照することによって、各ユーザがダウンロード処理を行ったか否かや、ダウンロード処理が行われた販売端末７０などの情報を取得できる。なお、販売端末７０を介さずにユーザ端末５０によってダウンロード処理が行われた場合には、販売端末ＩＤの値には値が付与されなくてもよいし、ユーザ端末５０を示す識別情報が付与されてもよい。
【００４１】
図９は、施設システム２００において撮影された画像がコンテンツ管理装置６０に登録される処理の流れの具体例を示すシーケンスチャートである。操作装置３０に対してユーザが撮影指示を入力すると、操作装置３０は入力された指示を取得する（ステップＳ１０１）。撮影指示が入力される際には、撮影指示を行うユーザのサブＩＤも施設システム２００に対して入力される。操作装置３０に対して入力された撮影指示は、撮影装置２０に出力される（ステップＳ１０２）。
【００４２】
撮影装置２０は、撮影指示を受けると、撮影指示にしたがって撮影処理を行う（ステップＳ１０３）。撮影装置２０は、撮影処理によって得られた撮影画像の画像データを撮影管理装置４０に出力する（ステップＳ１０４）。撮影管理装置４０は、撮影装置２０から出力された画像データと、操作装置３０に対する撮影指示の入力時に取得されたサブＩＤと、自装置が設けられた施設の施設ＩＤと、撮影処理が行われた日時を示す日時情報と、を有する画像情報を生成する（ステップＳ１０５）。撮影管理装置４０は、生成された撮影画像情報をコンテンツ管理装置６０に送信する（ステップＳ１０６）。このとき、撮影管理装置４０は、コンテンツ管理装置６０のＡＰＩ提供部６２０によって提供されるＡＰＩを経由して画像情報を送信してもよい。
【００４３】
コンテンツ管理装置６０は、撮影管理装置４０から送信された画像情報を受信する。コンテンツ管理装置６０の画像管理部６２２は、ＡＰＩ提供部６２０を経由して受信された画像情報に対して画像ＩＤを付与する。画像管理部６２２は、受信された画像情報に対して付与された画像ＩＤを対応付けて画像情報記憶部６５に登録する（ステップＳ１０７）。この登録に応じて、画像管理部６２２は、画像情報に含まれるサブＩＤに対応するユーザ情報テーブルのレコードに対し、撮影ログ情報として画像ＩＤを登録する。
【００４４】
図１０は、オンラインサービスシステム１００においてユーザが撮影画像の画像データをユーザ端末５０にダウンロードする際の処理の流れの具体例を示すシーケンスチャートである。まず、ユーザ端末５０は、ユーザの操作に応じてコンテンツ管理装置６０に対して認証情報を送信する（ステップＳ２０１）。認証情報とともに、ユーザのメインＩＤ又はサブＩＤが送信される。撮影画像の画像データのダウンロードサービスは、施設システム２００の事業者を介して提供されてもよい。この場合には、施設システム２００の事業者によって設置されるサーバが、ＡＰＩ提供部６２０によって提供されるＡＰＩを用いてダウンロードサービスを実現してもよい。この場合、認証情報とともに、ダウンロードサービスの提供元となる施設に応じたサブＩＤが認証情報とともに送信されてもよい。
【００４５】
コンテンツ管理装置６０の操作制御部６２３は、メインＩＤ又はサブＩＤと認証情報とを受信すると、認証処理を行う（ステップＳ２０２）。認証処理では、ユーザ情報テーブルに登録されているメインＩＤ又はサブＩＤと認証情報とが用いられる。認証がなされると、操作制御部６２３は、認証されたメインＩＤ又はサブＩＤに対応付けて登録されている画像の一覧情報を生成する（ステップＳ２０３）。例えば、認証にメインＩＤが用いられた場合には、ユーザ情報テーブルにおいてメインＩＤに対応付けて登録されている撮影ログ情報の画像全てが一覧情報に用いられてもよい。例えば、認証にサブＩＤが用いられた場合には、ユーザ情報テーブルにおいてサブＩＤに対応付けて登録されている撮影ログ情報の画像全てが一覧情報に用いられてもよい。操作制御部６２３は、生成された一覧情報をユーザ端末５０に送信する（ステップＳ２０４）。
【００４６】
ユーザ端末５０は、一覧情報を受信すると、受信された一覧情報を画面に表示する（ステップＳ２０５）。ユーザは、一覧情報を参照し、ダウンロードを希望する１又は複数の画像を選択する操作を行う。ユーザ端末５０は、ユーザによる選択操作を受け付ける（ステップＳ２０６）。ユーザ端末５０は、選択操作によって示された画像を要求するための情報（画像要求情報）をコンテンツ管理装置６０に送信する（ステップＳ２０７）。
【００４７】
コンテンツ管理装置６０の操作制御部６２３は、画像要求情報によって示される画像（ユーザによって選択された画像）の画像データを、画像情報記憶部６５から取得する（ステップＳ２０８）。操作制御部６２３は、取得された画像データをユーザ端末５０に送信する（ステップＳ２０９）。ユーザ端末５０は、画像データを受信すると、受信された画像データを表示する（ステップＳ２１０）。そして、ユーザ端末５０は、受信された画像データを自装置の記憶装置に記録する（ステップＳ２１１）。以上の処理によって、画像データのダウンロードが完了する。
【００４８】
図１１は、オンラインサービスシステム１００においてユーザが撮影画像の画像データをＳＮＳで他者と共有する際の処理の流れの具体例を示すシーケンスチャートである。ステップＳ２０１〜Ｓ２０５までの処理は、図１０に示される処理と同様であるため説明を省略する。ステップＳ２０５の処理の後、ユーザは、一覧情報を参照し、ＳＮＳで共有することを希望する１又は複数の画像を選択する操作を行う。この操作に伴って、ユーザは、ユーザ端末５０に対し、共有に用いられるＳＮＳコンテンツを示す情報を入力する。ユーザ端末５０におけるこれらの操作は、例えばコンテンツ管理装置６０から提供されるユーザインタフェースを介して実行されてもよい。例えば、画像の選択やＳＮＳコンテンツの選択を行うための画面が、コンテンツ管理装置６０からユーザ端末５０に対して提供されてもよい。この場合、選択を行うための画面を示すデータが一覧情報の送信（ステップＳ２０４）等のタイミングでコンテンツ管理装置６０からユーザ端末５０に送信されてもよい。
【００４９】
ユーザ端末５０は、ユーザによる選択操作を受け付ける（ステップＳ３０１）。ユーザ端末５０は、選択操作によって示された画像をＳＮＳコンテンツで共有することを示す情報（画像共有要求情報）をコンテンツ管理装置６０に送信する（ステップＳ３０２）。
【００５０】
コンテンツ管理装置６０の操作制御部６２３は、画像共有要求情報によって示される画像（ユーザによって選択された画像）の画像データを、画像情報記憶部６５から取得する（ステップＳ３０３）。操作制御部６２３は、画像共有要求情報によって示されるＳＮＳコンテンツにおいて画像を共有するための処理を実行する（ステップＳ３０４）。この処理は、既存のどのような処理を用いて実現されてもよい。例えば、ＳＮＳコンテンツのサーバによって提供されているＡＰＩを用いて、ユーザによって選択された画像を共有するためのユーザインタフェースをユーザ端末５０に提供してもよい。操作制御部６２３は、共有処理が完了すると、共有処理のログ情報を示すレコードを共有ログ情報記憶部６６に登録する（ステップＳ３０５）。
【００５１】
このように構成されたオンラインサービスシステム１００では、ユーザに対して割り当てられたメインＩＤに対応付けて、各施設に応じたサブＩＤがユーザ情報記憶部６４に記録される。また、各施設において撮影された撮影画像は、メインＩＤやサブＩＤに対応付けて記録される。そのため、複数の施設で撮影された画像の管理に要する労力を軽減することができる。
【００５２】
また、オンラインサービスシステム１００では、ＡＰＩ提供部６２０によって複数の処理に関してＡＰＩが提供される。例えば、施設システム２００において撮影された画像をコンテンツ管理装置６０に登録する処理（アップロード処理）においても、施設システム２００に対して画像登録処理のＡＰＩが提供される。そのため、施設の事業者は、より容易に自身の施設において施設システム２００を設置することが可能となる。同様に、施設の事業者は、より容易にユーザに対して撮影画像のダウンロードや共有を行うためのサービスを提供することが可能となる。
【００５３】
また、オンラインサービスシステム１００では、撮影画像をＳＮＳで共有するための機能がコンテンツ管理装置６０によって提供される。言い換えると、撮影画像をＳＮＳで共有するための導線が提供される。そのため、ユーザが撮影画像をＳＮＳで共有したことに関する情報を、ユーザがＳＮＳのアカウントを公開しているか否かに関わらずコンテンツ管理装置６０において取得することが可能となる。このことに応じて、エンゲージメント分析などをより精度よく行うことが可能となる。
【００５４】
（変形例）
サブＩＤを発行する機能（サブＩＤ発行部）は、コンテンツ管理装置６０の制御部６２ではなく、施設システム２００によって備えられてもよい。この場合、施設システム２００は、撮影管理装置４０においてサブＩＤ発行部を備えてもよいし、サブＩＤ発行部を備える管理装置を備えてもよい。このように構成された場合の動作例について説明する。
【００５５】
（第一動作例）
第一動作例では、ユーザのメインＩＤの有効性が、施設システム２００のサブＩＤ発行部において判定される。以下、詳細について説明する。所定のタイミングで、コンテンツ管理装置６０のユーザ情報管理部６２１は、ユーザ情報に登録されているメインＩＤを含むリストを各施設システム２００に通知する。通知を受けた施設システム２００は、自システムの記憶装置に、通知されたメインＩＤのリストを登録する。施設システム２００の使用を希望するユーザは、施設システム２００のサブＩＤ発行部に対し、メインＩＤを通知するとともにサブＩＤの発行を要求する。サブＩＤ発行部は、ユーザから通知されたメインＩＤが、コンテンツ管理装置６０から通知された最新のリストに含まれているか否か判定する。最新のリストにメインＩＤが含まれている場合、サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤと、要求元のユーザのメインＩＤとを対応付けて記憶装置に登録する。サブＩＤ発行部は、所定のタイミングで、登録されているメインＩＤとサブＩＤとの対応付けをコンテンツ管理装置６０に通知する。コンテンツ管理装置６０のユーザ情報管理部６２１は、通知されたメインＩＤを含むユーザ情報に対し、通知されたサブＩＤを新たに登録する。なお、第一動作例において、コンテンツ管理装置６０のユーザ情報管理部６２１がさらにメインＩＤについてユーザ情報に登録されているか否か判定してもよい。
【００５６】
（第二動作例）
第二動作例では、ユーザのメインＩＤの有効性が、コンテンツ管理装置６０のユーザ情報管理部６２１において判定される。以下、詳細について説明する。施設システム２００の使用を希望するユーザは、施設システム２００のサブＩＤ発行部に対し、メインＩＤを通知するとともにサブＩＤの発行を要求する。サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤと、要求元のユーザのメインＩＤとを対応付けて記憶部に登録する。サブＩＤ発行部は、所定のタイミングで、登録されているメインＩＤとサブＩＤとの対応付けをコンテンツ管理装置６０に通知する。コンテンツ管理装置６０のユーザ情報管理部６２１は、通知されたメインＩＤがユーザ情報記憶部６４に登録されているか否か判定する。登録されている場合、ユーザ情報管理部６２１は、通知されたメインＩＤを含むユーザ情報に対し、通知されたサブＩＤを新たに登録する。
【００５７】
（第三動作例）
第三動作例では、ユーザのメインＩＤの有効性が、コンテンツ管理装置６０のユーザ情報管理部６２１において判定される。また、第三動作例では、ユーザ端末５０によってメインＩＤとサブＩＤとの対応付けがコンテンツ管理装置６０に通知される。以下、詳細について説明する。施設システム２００の使用を希望するユーザは、施設システム２００のサブＩＤ発行部に対し、サブＩＤの発行を要求する。サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤをユーザ端末５０が取得可能な態様でサブＩＤを出力する。例えば、サブＩＤ発行部は、施設システム２００に接続されているプリンタからサブＩＤを示す文字や画像が記載されたシートを出力してもよい。例えば、サブＩＤ発行部は、施設システム２００に接続されている画像出力装置において、サブＩＤを示す文字や画像を表示してもよい。例えば、サブＩＤ発行部は、施設システム２００に接続されている通信装置（有線通信装置、無線通信装置のどちらでもよい）から、ユーザ端末５０に対してサブＩＤを示すデータを送信してもよい。ユーザ端末５０は、施設システム２００から取得されたサブＩＤと、自装置のユーザのメインＩＤと、認証情報と、を対応付けてコンテンツ管理装置６０に送信する。コンテンツ管理装置６０のユーザ情報管理部６２１は、通知されたメインＩＤと認証情報とを用いて認証処理を実行する。認証された場合、ユーザ情報管理部６２１は、通知されたメインＩＤを含むユーザ情報に対し、通知されたサブＩＤを新たに登録する。
【００５８】
以上、施設システム２００がサブＩＤ発行部を備える場合の３つの動作例について説明したが、他の動作によって同趣旨の処理が実現されてもよい。例えば、上述した３つの動作例では、サブＩＤよりも先にメインＩＤが既に発行されていることが前提となっていた。しかしながら、各動作例を含む本発明の実施形態全般において、メインＩＤが発行されていないユーザに対してサブＩＤが発行されてもよい。このような構成の場合、例えば第一動作例〜第三動作例は以下のように変形して実行される。
【００５９】
（第一動作例の変形例）
施設システム２００の使用を希望するユーザは、施設システム２００のサブＩＤ発行部に対し、サブＩＤの発行を要求する。サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤを記憶装置に登録する。サブＩＤ発行部は、所定のタイミングで、登録されているサブＩＤをコンテンツ管理装置６０に通知する。コンテンツ管理装置６０のユーザ情報管理部６２１は、通知されたサブＩＤを含むユーザ情報を生成し、ユーザ情報記憶部６４に登録する。この場合、後にユーザに対してメインＩＤが発行されると、ユーザは自身のメインＩＤと、既に発行されていた１以上のサブＩＤと、の対応付けをコンテンツ管理装置６０に対して登録してもよい。例えば、ユーザ端末５０がメインＩＤと１以上のサブＩＤとを含む登録要求を生成し、コンテンツ管理装置６０に登録要求が送信されてもよい。この後、コンテンツ管理装置６０のユーザ情報管理部６２１は、既にユーザ情報記憶部６４に登録されているサブＩＤに対応付けて、登録要求に含まれるメインＩＤを登録してもよい。
【００６０】
（第二動作例の変形例）
施設システム２００の使用を希望するユーザは、施設システム２００のサブＩＤ発行部に対し、サブＩＤの発行を要求する。サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤを記憶部に登録する。サブＩＤ発行部は、所定のタイミングで、登録されているサブＩＤをコンテンツ管理装置６０に通知する。コンテンツ管理装置６０のユーザ情報管理部６２１は、通知されたサブＩＤを含むユーザ情報を生成し、ユーザ情報記憶部６４に登録する。この場合、後にユーザに対してメインＩＤが発行されると、ユーザは自身のメインＩＤと、既に発行されていた１以上のサブＩＤと、の対応付けをコンテンツ管理装置６０に対して登録してもよい。例えば、ユーザ端末５０がメインＩＤと１以上のサブＩＤとを含む登録要求を生成し、コンテンツ管理装置６０に登録要求が送信されてもよい。この後、コンテンツ管理装置６０のユーザ情報管理部６２１は、既にユーザ情報記憶部６４に登録されているサブＩＤに対応付けて、登録要求に含まれるメインＩＤを登録してもよい。
【００６１】
（第三動作例の変形例）
施設システム２００の使用を希望するユーザは、施設システム２００のサブＩＤ発行部に対し、サブＩＤの発行を要求する。サブＩＤ発行部は、ユーザの要求に応じて、要求元のユーザに対してサブＩＤを発行する。このとき、サブＩＤ発行部は、自身が備えられた施設システム２００の施設ＩＤに対応付けられたユーザ管理情報が示す範囲の中から、サブＩＤを発行する。サブＩＤ発行部は、発行したサブＩＤをユーザ端末５０が取得可能な態様でサブＩＤを出力する。例えば、サブＩＤ発行部は、施設システム２００に接続されているプリンタからサブＩＤを示す文字や画像が記載されたシートを出力してもよい。例えば、サブＩＤ発行部は、施設システム２００に接続されている画像出力装置において、サブＩＤを示す文字や画像を表示してもよい。例えば、サブＩＤ発行部は、施設システム２００に接続されている通信装置（有線通信装置、無線通信装置のどちらでもよい）から、ユーザ端末５０に対してサブＩＤを示すデータを送信してもよい。ユーザ端末５０は、施設システム２００から取得されたサブＩＤをコンテンツ管理装置６０に送信する。コンテンツ管理装置６０のユーザ情報管理部６２１は、通知されたサブＩＤを含むユーザ情報を生成し、ユーザ情報記憶部６４に登録する。この場合、後にユーザに対してメインＩＤが発行されると、ユーザは自身のメインＩＤと、既に発行されていた１以上のサブＩＤと、の対応付けをコンテンツ管理装置６０に対して登録してもよい。例えば、ユーザ端末５０がメインＩＤと１以上のサブＩＤとを含む登録要求を生成し、コンテンツ管理装置６０に登録要求が送信されてもよい。この後、コンテンツ管理装置６０のユーザ情報管理部６２１は、既にユーザ情報記憶部６４に登録されているサブＩＤに対応付けて、登録要求に含まれるメインＩＤを登録してもよい。
【００６２】
施設システム２００は、必ずしも操作装置３０を備えなくてもよい。例えば、操作装置３０に対する操作にかかわらず、所定のタイミングで撮影装置２０が撮影を行うように構成されてもよい。例えば、ジェットコースターが通過する場所を視野に収めるように設置された撮影装置２０が、ジェットコースターが通過するタイミングで乗客の姿を撮影するように構成されてもよい。例えば、施設の入口や出口において、ユーザが通過するタイミングで撮影装置２０が人体検知センサの検知結果に応じてユーザの姿を撮影するように構成されてもよい。
【００６３】
撮影管理装置４０又はコンテンツ管理装置６０は、撮影画像に対してフレームの重畳や背景の合成等の画像処理を行うように構成されてもよい。特に、撮影が行われた施設に応じたフレームや背景が合成されることによって、ユーザに対し画像撮影の動機を与えることが可能となる。このような合成に用いられるフレームや背景は、複数の選択候補の中からランダムに選択されてもよいし、ユーザによって選択されてもよい。このように構成されることによって、ユーザに対し複数回の撮影を行うことの動機を与えることが可能となる。
【００６４】
コンテンツ管理装置６０の操作制御部６２３は、ＳＮＳによる共有を実行したユーザに対し、インセンティブを付与するように構成されてもよい。このようなインセンティブの具体例として、撮影が行われた施設において使用可能なクーポンや、オンラインサービスシステム１００において利用可能なポイントがある。共有処理に応じて付与されるインセンティブは、例えば施設ＩＤや共有先コンテンツに応じて予め定義されてもよい。
【００６５】
以上、この発明の実施形態について図面を参照して詳述してきたが、具体的な構成はこの実施形態に限られるものではなく、この発明の要旨を逸脱しない範囲の設計等も含まれる。
【符号の説明】
【００６６】
１０…通信装置，  ２０…撮影装置，  ３０…操作装置，  ４０…撮影管理装置，  ５０…ユーザ端末，  ６０…コンテンツ管理装置，  ７０…販売端末，  ９０…ネットワーク，  １００…オンラインサービスシステム，  ２００…施設システム，  ６１…通信部，  ６２…制御部，  ６２０…ＡＰＩ提供部，  ６２１…ユーザ情報管理部，  ６２２…画像管理部，  ６２３…操作制御部，  ６３…施設ＩＤ情報記憶部，  ６４…ユーザ情報記憶部，  ６５…画像情報記憶部，  ６６…共有ログ情報記憶部，  ６７…ＤＬログ情報記憶部
【図１】
2019023827.tif 000003
【図２】
2019023827.tif 000004
【図３】
2019023827.tif 000005
【図４】
2019023827.tif 000006
【図５】
2019023827.tif 000007
【図６】
2019023827.tif 000008
【図７】
2019023827.tif 000009
【図８】
2019023827.tif 000010
【図９】
2019023827.tif 000011
【図１０】
2019023827.tif 000012
【図１１】
2019023827.tif 000013